(57)【特許請求の範囲】
【請求項１】
ゾーンベースのサービスをユーザーに提供する方法であって、
サーバー内で、ユーザーのプロフィールの複数の要素の各々に優先値を割り当てることによって、ユーザーのプロフィールを定義するステップと、
サーバー内で、ゾーンのプロフィールの複数の要素の各々に優先値を割り当てることによって、ゾーンのプロフィールを定義するステップとを有していて、前記ゾーンは、地理的なエリア、実際のエリア、およびウェブサイトから選択され、
更に、サーバーで、ゾーン内のユーザーのターミナルのアクセスを感知するステップと、
サーバーによって、ゾーンのプロフィールとユーザーのプロフィールとの共通要素間の組み合わせ値を計算するステップとを有していて、前記組み合わせ値は、共通要素のそれぞれの優先値の関数として計算され、
更に、前記組み合わせ値が一定値以上であれば、サーバーからユーザーのターミナルに、サービスの提供を含む情報を転送するステップを有していて、前記サービスの提供は前記組み合わせ値に基づいてカスタマイズされる、
方法。
【請求項２】
ユーザーの興味に対応するユーザーのプロフィールの要素に、０より大きい優先値を割り当てるステップと、
ユーザーの興味に対応しないユーザーのプロフィールの要素に、０または負の値に設定された優先値を割り当てるステップとを有している、
請求項１に記載の方法。
【請求項３】
ゾーンによって提供されるサービスに対応するゾーンのプロフィールの要素に、０より大きい優先値を割り当てるステップと、
ゾーンによって提供されるサービスに対応しないゾーンのプロフィールの要素に、０または負の値に設定された優先値を割り当てるステップとを有している、
請求項１に記載の方法。
【請求項４】
ユーザーから表示ユーザープロフィールを受け取るステップを有していて、
前記表示ユーザープロフィールは、送信のためにユーザーによって選択されるユーザーのプロフィールの一群の要素を含む、
請求項１に記載の方法。
【請求項５】
サービスをユーザーに提供する方法であって、
第２のユーザーのターミナルで、サーバーから、第１のユーザーによって検索される第２のユーザーのプロフィールの一群の要素を含むユーザーの検索事項（ＳＵＰ）を受信するステップと、
サーバーで、第２のユーザーから、ＳＵＰの内容に応じて送信のために第２のユーザーによって選択される第２のユーザーのプロフィールの一群の要素を含む表示ユーザープロフィール（ＤＵＰ）を受信するステップと、
サーバーで、ＳＵＰおよびＤＵＰの共通要素間の組み合わせ値を計算するステップとを有していて、前記組み合わせ値は、ＳＵＰおよびＤＵＰ内で共通要素に割り当てられるそれぞれの優先値の関数として計算される、
方法。
【請求項６】
前記組み合わせ値が一定値以上であれば、第１のユーザーと第２のユーザー間でのコミュニケーションを確立するステップを有している、
請求項５に記載の方法。
【請求項７】
第２のユーザーによって、第２のユーザーによって要求されるサービスに応じて、第２のユーザーの表示ユーザープロフィール（ＤＵＰ）の要素を編集するステップを有している、
請求項５に記載の方法。
【請求項８】
ゾーンベースのサービスをユーザーに提供する方法であって、
サーバーで、第１のターミナルから、第１のユーザーの検索事項を受信するステップを有していて、前記第１のユーザーの検索事項は、第１のユーザーによって検索される他のユーザーのプロフィールの１つ以上の要素を含み、
更に、第２のユーザーの第２のターミナルで、第１のユーザーの検索事項を受信するステップと、
第２のターミナルで、第２のユーザーの表示プロフィールを形成するステップとを有していて、前記第２のユーザーの表示プロフィールは、第１のユーザーの検索事項の内容に応じてサーバーへの送信のために第２のターミナルによって選択される第２のユーザーのプロフィールの１つ以上の要素を含み、
更に、サーバーで、第２のターミナルから、第２のユーザーの表示プロフィールを受信するステップと、
サーバーで、第１のユーザーの検索事項と第２のユーザーの表示プロフィールとの共通要素間の組み合わせ値を計算するステップと、
サーバーで、ゾーン内の第２のユーザーの第２のターミナルのアクセスを感知するステップとを有していて、前記ゾーンは、地理的なエリア、実際のエリア、およびウェブサイトから選択され、
更に、サーバーによって、前記組み合わせ値が一定値以上であれば、第１および第２のユーザーの第１および第２のターミナル間でのコミュニケーションの確立を制御するステップを有している、
方法。
【請求項９】
前記ゾーン内の第１のユーザーの第１のターミナルのアクセスを感知するステップを有している、
請求項８に記載の方法。
【請求項１０】
前記ゾーンは、ウェブサイトおよびウェブサイトにアクセスする第２のユーザーを含む、
請求項８に記載の方法。
【請求項１１】
ゾーンベースのサービスをユーザーに提供するシステムであって、
ゾーン内のユーザーのアクセスを感知するためのゾーンに関連した複数の感知システムを備えていて、各ゾーンは、地理的エリア、物理的エリア、およびウェブサイトから選択され、
更に、前記感知システムにコミュニケーション可能に接続され、各ゾーンのプロフィールの各要素のための優先値と、各ユーザーのプロフィールの各要素のための優先値とを保管するデータベースを有するサーバーを備えていて、
前記サーバーは、
特定のゾーンに関連した感知システムから、特定のユーザーのターミナルによる特定のゾーンに対するアクセスについての情報を受信して、
特定のゾーンのプロフィールと特定のユーザーのプロフィールとの共通要素間の組み合わせ値を計算し、前記組み合わせ値は、共通要素のそれぞれの優先値の関数として計算され、かつ
前記組み合わせ値が一定値以上であれば、特定のユーザーのターミナルに、特定のユーザーに対するサービスの提供を含む情報を転送し、前記サービスの提供は前記組み合わせ値に基づいてカスタマイズされる
ように構成されている、
システム。
【発明の詳細な説明】
【技術分野】
【０００１】
現時点でご提供できるモーバイルのサービスに関する。
【０００２】
自分のニーズに合ったプロフィールを持つユーザーを検索する機能を持ったゾーン別サービスの提供をしており、そのシステム、その操作とノードのサービスとなっている。
【背景技術】
【０００３】
サービスソリューションよる現時点の居場所特定は、全地球測位システム（ＧＰＳ）や、ＷｉＦｉの使用場所などによる、現在位置測位がある。この機能は、建物内部、ショッピングセンターや地下鉄、その他の地下の場所や、ビルの何階かに挟まれた階上に於いては、機能が働き難くなる。それに加えて、現在の機能では、ネットでの双方向性に関連した位置特定が適切に出来ない。
【０００４】
その他の問題としては、画面上での仮想が実際では違うという所も有るという事である。ユーザー間の会話は、ネットを通して行われる。然しながら、ネットでは、実際に会って話をしている訳ではないので、それぞれの人達の実際に居る場所等は、関係の無いものになってしまう。
【０００５】
したがって、そこにゾーン別の双方向のサービスの必要性があり、それがこの製品が開発された理由となっている。
【発明の概要】
【発明が解決しようとする課題】
【０００６】
現在、弊社のサービスの１つとして、ユーザーにゾーン別サービスを行っており、そのゾーンのユーザーを探知し、ゾーンやユーザーの特徴によって、その互換できる事柄によりグループを組む事ができる。このサービスは、後希望のあるユーザーに行われている。
【課題を解決するための手段】
【０００７】
ユーザーへのゾーン別サービスとしてのサービスの２つ目として、ユーザーの検索事項（ＳＵＰ）がある。表示されたユーザーのプロフィール（ＤＵＰ）は、次に使用するユーザーから受け取る事になる。互換性のあるユーザーのグループの組み合わせは、ＳＵＰとＤＵＰによって計算をされる。
【０００８】
ユーザーへのゾーン別サービスとしてのサービスの３つ目としては、ユーザーへのゾーンベースのサービスの提供である。最初のユーザーと２番目のユーザーの検索事項の互換値が計算される。指定されたゾーンでの２番目のユーザーの存在が探知され、特に馬が合わない訳でなければ最初のユーザーと２番目のユーザーのコンタクトは、条件付で行われるようになる。
【０００９】
ユーザーへのゾーン別サービスの４つ目としては、システムの提供である。システムは、ユーザーへのゾーンベースのサービスを提供する。又、そのゾーンでのユーザーの存在を感知するゾーンと関連した複数の感知システムがある。又、システム内にはサーバーがあり、それぞれのゾーンエリアや、ユーザーの存在場所などの情報を保管するデータベースがある感知システムと、連絡を取り合うようになっている。
【００１０】
サービスの５つ目としては、ターミナルでサービスを得る事ができる点である。ターミナルは、表示されたゾーンの特徴（ＤＺＰ）や、ユーザーの検索事項（ＳＵＰ）を受信する。ターミナルでは、希望のＤＵＰやＳＵＰに合わせてそれらのプロフィールの選択がなされる。その後、ターミナルからＤＵＰとＳＺＰが送信される。
【００１１】
サービスの６つ目としては、ターミナルの提供があり、ターミナルには受信機や、コントローラー、発信機が備えられている。受信機は表示されたゾーンの特徴（ＤＺＰ）や,  ユーザーの検索事項（ＳＵＰ）を受け取る。又、表示されたユーザーの特徴（ＤＵＰ）やゾーンの検索事項を、ＤＺＰの希望に基づいてコントローラーが選択し、発信機が、ＤＵＰやＳＺＰを発信する。
【００１２】
サービスの７つ目としては、その地帯の携帯の存在をお知らせする事で、携帯のそのゾーンの出入りを示すシグナルは、携帯で受信される。端末のそのゾーンへの出入りは、サーバーへのメッセージとして送られる。
【００１３】
サービスの８つ目としては、その地帯での携帯を探知する受信機とコントローラーの付いた装置の設置である。携帯のその地帯への出入りは、受信機がターミナルから受けたシグナルで表示される。コントローラーは、サーバーにメッセージを送り、携帯のその地帯の出入りを表示する。
【００１４】
サービスの９つ目としては、ユーザー用のサービスゾーンを提供している点である。そのゾーンによって提供されるサービスや、ユーザーの検索事項、又、それ以外のゾーンでのサービスの詳細が表示される。
【００１５】
先に記載された機能、又、その他の機能に関しては、その具体例を加えた下記の説明、並びに添付図が参照される。
【図面の簡単な説明】
【００１６】
例を通して説明をしたが、添付された図同時に参照される。それぞれの添付図の概要は、下記参照。
【図１】図1は、ユーザーへのゾーンサービスを提供する順序を、一例としてフローチャートで表した。
【図２】図2は、ユーザーへのゾーンサービスを提供する順序を、もう一つの例としてフローチャートで表した。
【図３】図3は、ゾーンからユーザーまでの送信サービスの順序の例を表しているフローチャートである。
【図４】図4は、ゾーンの探知システムの単純化された例である。
【図５】図5は、携帯を簡略化して表した物である。
【図６】図6は、ユーザー、ゾーンとサーバーの間の基本的な相互作用の例を表している図である。
【図７】図7は、ゾーンの中でユーザーの存在を示し、そのゾーンにいるユーザーについての情報要素を示している簡略化された図となっている。
【図８】図8は、様々なユーザーの特徴とゾーンの特徴に依って作られる可能性のあるグループの例を表している。
【図９】図9は、様々なユーザーの特徴とゾーンの特徴に依って、作られる可能性のあるグループの例を表している。
【図１０】図10は、二人のユーザー間のプロフィールの特徴の表示例である。
【発明を実施するための形態】
【００１７】
現在販売されている製品は、一般的には、ユーザーが（仮想的に、又、実際に）ゾーンにアクセスしているのを感知する様に作られている。
【００１８】
この製品では、下記の物が使用される。
(1) そのゾーンにアクセルしているユーザーの探知システムの利用。
(2) ユーザーの探知、又は、ユーザーに双方に安全なリンクの提供。
(3) デスクトップ、又は、モバイルのコンピューターへの通信リンクのご使用。
(4) 通信スペースの限られた時間の節約。
(5) 商品の注文、道路誘導、ビデオカメラ、プログラム、警告メッセージなどのサービスや、アプリケーションへの適応と一括。
これらの5点のいくつかまたは全てが組み合わさり、情報処理活動を行う。
【００１９】
以下に、この説明文に使用された用語の解説をする。
【００２０】
無線通信 / ワイヤレス・コミュニケーション：
無線通信、赤外線通信、超音波コミュニケーションまたはその他の手段による2台の通信機器間のコミュニケーションである。
【００２１】
ターミナル：
ネットワークによる無線通信ができるユーザー装置である。
【００２２】
携帯：
ネットワークによる無線通信ができる携帯型ターミナルである。
【００２３】
ユーザー：
ターミナルまたは携帯端末によって、ここで記載されているシステムにアクセスしている人をユーザーと記載している。
【００２４】
ゾーン / ゾーン：
その大きさに拘わらず、実際の、又は、地理的なエリアを指し、ユーザー、又は、他のゾーン/ゾーンにサービスを提供する。又、ゾーンは、ユーザーの存在を探知するサイト装置を備えている。
【００２５】
サービス：
ユーザーまたはゾーンのアクセスに拘わらず、ユーザーやゾーンに提供される ゾーンに関連した機能である。
【００２６】
プロフィール / 特徴：
ユーザー、又は、ユーザーのターミナル（ユーザープロフィールは、また、ターミナルのプロフィールと言われている）の少なくとも1つの以上の特徴を言う。
【００２７】
この説明文で、プロフィールと記載されているのは、全てのプロフィール、プロフィールの一部、特定のユーザー又はゾーンの複数の特徴を含んだプロフィールとなっている。
【００２８】
基本的なプロフィール：
基本的なプロフィールは、その個人の基本となる特徴が記されている。
【００２９】
表示されたプロフィール：
ユーザー、又は、ゾーンの少なく共、１つ以上の特徴の表示で、そこに、限定された時間内に、他のユーザーやゾーンがアクセスする事が出来る。
【００３０】
プロフィールの検索：
【００３１】
限定時間内に、ユーザーまたはゾーンに、一人のユーザー、又は、ひとつのゾーンが、少なくとも１つ以上のプロフィールを要求する事ができる。
【００３２】
探知 / 感知：
【００３３】
ゾーン内でのユーザーやユーザーの携帯の存在や出発を、手動で、又は、自動的に発見する事である。
【００３４】
探知 / 感知システム：
そのゾーン内でのユーザーの存在、出入りを感知する機器であり、１つのゾーンでのサイト専用装置を含む事もあり、携帯電話のインターネット、ＷｉＦｉ，Ｗｉｍａｘ，ブルートゥース、その他同様の働きをする機器のシステムは、感知システムとして使用される。
【００３５】
地理的な位置の識別 / ジオロケーション：
全地球位置測定システム（ＧＰＳ）などを使用し、個人や機器の位置識別を指す。
【００３６】
WiFi / ワイファイ：
IEEE 802.11の家庭用規格に基づいた無線連結性技術。
ワイマックス（超高速モバイルインターネット）：
IEEE 802.16の家庭用規格に基づいた無線連結性技術。
【００３７】
ブルートゥース：
短距離間の比較的低速度のデジタル情報の無線通信を行う規格で、登録商標をされているが、オープンな技術となっている。
【００３８】
組合せ：
２人、又は、２つ以上のユーザー、又は、ゾーンのプロフィールを主体として選考されるグループ作成の組み合わせである。
【００３９】
サーバー：
ユーザー又はゾーンの、プロフィール、探知、ゾーンの境界の決定、統計等の管理を司り、２人、又は、２つの個の組み合わせを作成するネットワークノード、又は、ネットワークのノードグループである。
【００４０】
ここに記載されている様に、ゾーン（ゾーン）を基盤としたサービスの提供を受ける方法、ノードやシステムを紹介する。
【００４１】
ユーザーとゾーンから構成されたその２種類のそれぞれの情報が認識され、システムサーバーがそれを管理する。システムサーバーは、それぞれのゾーン毎に、ユーザーのターミナルのシステムと互換性のあるソフトなどを使い、手動、又は、自動の探知により、名目データ、商業目的の情報、ゾーン内で提供されるサービス、ゾーンのプロフィール、ゾーン内でのユーザーの存在状況などを保存する。
【００４２】
又、システムサーバーは、名目データ、極秘情報を含む１つ以上のユーザープロフィール、ユーザーの行動の傾向、ユーザーの特定されたゾーンでの現在と過去の存在等の情報の保管をする。
【００４３】
既存のサービスは、以前からのサービスを含め、現在のサービスからのみ受けられるサービスも含まれ、幅広いサービスとなっている。製品のシステムは、いろいろなリンクを、補足的な意味で使用している。二人以上のユーザーで、又は、ユーザーとサービスの提供者（市販されているアプリケーション等）、又、２つ以上のゾーン間でのリンクが作られる事もある。
【００４４】
この様に、１つのゾーン内で特別に提供される追加サービスや、その内容を、モーバイル通信サービスにお届けする事も出来る。
【００４５】
現在の製品は、ネット上などの仮想世界と現実の世界間の、繋がりの欠如の問題を無くした物となっている。
【００４６】
仮想世界では、複数のゾーンと同時にコンタクトが取れる様にしている。
【００４７】
自分達の実際に居る場所に拘わらず、ユーザー間で、実際に会う事無くコミュニケーションが取れるインターネットと違い、この製品は、特定の時間と実際の場所に於けるユーザー間の 実際のコンタクトの実現への扉となっている。これらのコンタクトには、ユーザーとゾーンの相互間、ユーザーのゾーンベースの交流、ゾーンの相互間、ゾーンへの仮想訪問、固定されたコンピューターとの連絡等を含む、多様な形がある。
【００４８】
一般にシステム・サーバーは、ゾーンの境界、隣接しているゾーンに関連のあるデータ、ゾーンへアクセスや出入りをしているユーザーの探知データ、ユーザーやゾーンのプロフィールのデータ、統計、内容等のデータの管理をし、データ間に関連性を作る。システムサーバーは、又、データやサービスへのアクセスの許可を決定する。
【００４９】
ゾーンゾーンへは、ユーザーが入る事が出来、再び去る迄、居る事が出来るエリアである。ゾーンというのは、ユーザーが入り、サービスを受ける事が出来る仮想の、又は、実際のエリアを表している。これらのゾーンを作る事で屋内外で、相互間で安全に連絡が取れる様になる。ゾーンで作られたシステムは、その特定のゾーン内で実際に、又は、仮想で、ユーザーが居る事のできる場所の情報を提供する。場所の情報としては、ゾーンのサービス情報、広告、ゾーンの情報、ニュースや注意事項、メディアの情報、ソフトウェアのアプリケーション、ソフトウェアのダウンロード、他社のソフトウェア、又は、データヴベースとの情報交換などがある。例を出して言えば、あるユーザーは、喫茶店の情報があるゾーンを訪問する予定がある。そのユーザーの消費傾向を含むプロフィールや、その喫茶店のあるゾーンのプロフィールの特徴に基づき、その喫茶店に入ると、自分の好みの種類のコーヒーが直接に運ばれるという設定が出来、又、そのお勘定が自分の講座から直接落とされるという設定も出来る。
【００５０】
システムには、そのゾーン内に存在があるユーザーや、ゾーン外からの仮想訪問の存在があるユーザーと、互いに交信できるゾーンゾーンがある。サーバーが、ユーザーのゾーンへのアクセスの報告を受けると、ユーザーや携帯と、システムサーバー間でのコミュニケーションが始まる。
【００５１】
双方向接触は、地帯の内外で、特定のプロフィール、サービス、コンテンツ、などによる提供や、情報を要求したり、マーケティングのために全体システムと互換性を持つ特別なソフトウェアを備えているターミナルを使用して、ユーザー（個人や企業）の間で行われる。
【００５２】
この様なやり方で、ゾーン間でのコンタクトも出来る様になり、隣接する２つのゾーン間で、１つのゾーンの提供するサービスをもう１つのゾーンが利用したり、１つのゾーンのユーザーをもう１つのゾーンに移るようにする事も出来る。
【００５３】
現在の弊社の製品で、高層建物の所定の階でのユーザーを含む屋内外のゾーンのエリア内でのユーザーの存在を探知できる。先に作られたＧＰＳなどの位置測定システムでは、ゾーンをより良く知る為の場所や詳細が、思うように表示されない。それに加えて、ショッピングセンターや、地下鉄、地下のエリア、高層ビル内などの多くの屋内でのＧＰＳの使用範囲は限られている。弊社の製品は、ＧＰＳの地理測定の技術で詳細まで表せなかった問題を、解決した。ＧＰＳや、ワイファイのアクセスポイント等の地理測定のみに基づいた従来のやり方とは違い、このシステムは、従来の地理測定の技術でその場所が詳細まで探知できるかどうかに限らず、如何なるゾーンに於いても、詳細まで感知出来る様になった。１つのゾーンに於けるユーザーの存在を感知する装置は、そのユーザーに他のインターネットへのアクセスの提供も可能である。ユーザーの存在する可能性のあるゾーンは、ショッピングセンターや、地下鉄、高層ビル内、なども含まれる。ゾーンゾーンは、例えば、屋外の音楽祭の会場などから、会議場内にある売店前の小さなスペースまで、多様な大きさがある。弊社の製品で使用されている場所探知法は、既存の地理測定で限定された壁を壊した。これに依り、より充実したサービスの提供が出来る様になった。
【００５４】
システムは、少なくとも2種類の探知方法がある。：
自動探知、手動探知または両方を組み合わせた探知法で、ユーザーの場所の探知ができる。
【００５５】
これらの探知方法は、目的に合わせて必要に応じて使われている。
【００５６】
手動探知方法は、それを使用するユーザーの操作を必要とされている。例えば、バーコードやＱコードを、携帯に認知させる事や、ユーザーが特定の場所に到着した時に手動でそのコード番号などを入力する事がある。
【００５７】
自動探知に於いては、ユーザーが超音波、電子波、ワイファイ、ワイマックス、チップ、
【００５８】
ブルートゥース、スマートカード、などを含むゾーンに入った時、携帯の探知方法を使用する。
【００５９】
携帯は、ワイファイや、ブルートゥースに依って発信されたサービスセット識別子(SSID)の感知により、ゾーンへの侵入を感知する。探知方法は、アプリケーションの必要に応じて、それのみで、又は、補足的に使用される。場合に依っては、携帯に実装されているハードウェアの種類によって手動や自動の探知方法をご使用頂ける。
【００６０】
たとえば、会議場では、すべてのアクセスに自動コントロールを使用出来、さらに、特定の売店でのユーザーの位置を正確に感知するため、バーコードを使用する事もできる。
【００６１】
屋外のゾーンに於いては、手動でのバーコードの読み取りが不都合な場合でも、ユーザーが何時その場所を去るか知る必要があるならば、いくつかの代替方法が単独で、または、いろいろな組合せで出来る。： 
【００６２】
1) 他のゾーンへのアクセス
ユーザーが新しいゾーンに入ると、システム・サーバーが新しいゾーンにアクセスしているユーザー情報を得て、それに依って自動的に、そのユーザーが前のゾーンを出た事を感知する。
2) システム・サーバーとユーザーの相互関係：
一定の休止期間後、システム・サーバーは、ユーザーが地帯を去ったかどうか確認するため、ユーザーに連絡をする事もある。
3) 地理的な場所：
たとえばGPS、携帯、ワイファイ・アクセス・ポイントなどの地理的測定システムは、ユーザーがゾーンを去った事を感知し、その情報をシステムサーバーに送信する。
4) 通常、ユーザーがそのゾーンに入る時、システムサーバーに自動的に場所の変更をする機能があり、以前のゾーンにユーザーが居たという情報のキャンセルをする。
【００６３】
現在の製品でも、ゾーンへの「仮想訪問」が出来る。
【００６４】
したがって、ユーザーはどんな地帯の外側に居ても、仮想的に何処のゾーンにでも入る事が出来る。ユーザーは、（実際に、又、仮想的に）複数のゾーンに同時に居る事が出来る。例えば、実際に１つのゾーンに居る間、仮想的に同時に他の複数のゾーンにも居る事が出来る。それにより、この製品をご使用になる事で、ある特定のゾーンに実際に居て、そのゾーンでのアクティビティーが出来ると同時に、仮想的にアクセスした他のゾーンでのアクティビティーもする事が出来る。
【００６５】
異なる種類の情報（探知、地帯境界決定、プロフィール、コンテンツ、など）を結合することによって、システム・サーバーは、それらのデータの関連性を確立させる。
【００６６】
図1を参照。
ユーザーに対するゾーンベースのサービスを受ける順序の例をチャートで示している。
【００６７】
シーケンス100には、ゾーンでユーザーの存在を探知するステップ1 10がある。
その時、ユーザーは、そのゾーンに入った事を知らされる。ゾーンベースのサービスを受ける為、ユーザーにはターミナルが必要である。
【００６８】
ステップ120では、ゾーンプロフィールとユーザープロフィールの要素で、システムサーバーの計算に依ってグループになる組み合わせが計算される。
【００６９】
ステップ130では、ユーザーはカスタマイズされたサービスを受けられ、コンタクトの機会を与えられる。
【００７０】
ステップ140では、これらのサービスを受ける選択をする。具体的には、その基準値はサーバーに依って決められる。基準値は、プロフィール間の、互換性のある範囲の少なくとも最小の値となる。その基準値は、互換性の計算されて出された値が０ではなく、０より多いプラスの値となっている。
【００７１】
図2は、ゾーンの外に居るユーザーに対するゾーンベースのサービスを受ける為の順序を、もうひとつの例としてチャートにした物である。
【００７２】
シーケンス200は、ユーザーによって検索されたゾーンのプロフィール（SZP）を送るステップ210を含んでいる。
【００７３】
ステップ220では、システム・サーバーは、SZPと複数のゾーンのプロフィールを比較する。
【００７４】
ステップ230では、システムサーバーは、SZPと一致するユーザー又は携帯のゾーンプロフィールを送信する。
【００７５】
ステップ240では、ユーザーは、システムサーバーによって送信された１つ以上のゾーンへ実際に、又は、仮想的に訪問するかどうかの選択をする。ユーザーがゾーンに（実際に、又は、仮想的に）入るとすぐ、サービスの利用が出来る。
【００７６】
図3は、ゾーンからユーザのターミナルまでのサービスをお届けする順序の例をチャートに表している。
【００７７】
シーケンス300には、システムサーバーへユーザーの検索事項（SUP）を送信するゾーンの310  ステップ１がある。
【００７８】
ステップ320では、システムサーバーは、ユーザーの消費者習慣に関する情報を含むSUPとユーザープロフィールを使用して、組合せの計算をする。
【００７９】
ステップ330では、組合せ後、選択されたユーザーは、ユーザーのターミナルでゾーンからのサービスの特典を受ける。
【００８０】
シーケンス300のいくつかのステップには、全体システムの特徴と互換性のあるターミナル・ソフトを使用する。
【００８１】
図4は、ゾーン内での探知システムの例が簡略化されて表されている。
【００８２】
探知システム400は、ユーザーのゾーンへの出入を感知するのに使用される。
【００８３】
探知システム400は、送信機（トランスミッター）410、受信機（レシーバー）420、コントローラ−430、通信ポート440から構成されている。
【００８４】
ゾーンのエリア内に、送信機410は、450を送るかもしれない。そして、ゾーンの境界の中に存在する時には、信号が携帯に送られる。
【００８５】
信号は、一般的なシステム・コード並びに、ここに記載されているサービスに関連した、ゾーンの特有のコードから出来ている。
【００８６】
又、伝えられたコードは、ゾーンへの出入りや存在の別を感知するのに使用される。
【００８７】
探知システム400は、前記のコードを提供する為、ユーザーの携帯で読み込まれたバーコードやQ-コード（図表示無し）を示す。
【００８８】
送信機410は、バーコードまたはQ-コードの表示に使用されないかもしれない。レシーバー420は、携帯から、ゾーンからの出入りを信号で表示する460を受信する。
【００８９】
探知システム400と携帯間のコミュニケーションは、超音波、電子波、ワイファイ、ワイマックス、高周波識別（RFID）、チップ、ブルートゥース、などの方法を使用する。システムサーバーは、探知システム400からの情報を管理する。
【００９０】
又、探知システム400は、ユーザーのゾーンからの出入りを表示する通信ポート440を通して、そのメッセージを470からシステムサーバーに送信する。
【００９１】
探知システム400が、ゾーンでのユーザーの存在の探知に使用されず、無線通信のネットワークの一部である事を嬉しく思われる人もいるかもしれない。
【００９２】
従って、無線通信サービスや、他のノードとの通信をする為、探知システム400には、その他、図4の上で示されないコンポーネントがある。
【００９３】
図5は、携帯端末の１例の単純化されたブロック図である。
【００９４】
携帯端末500は、レシーバー520、トランスミッター540とコントローラ510から形成されている。レシーバー520は、表示されたゾーンのプロフィール（DZP）とユーザーの検索事項（SUP）530を、受信する。
【００９５】
コントローラ510は、DZPと一致しているご希望のサービスにマッチした基本的なユーザープロフィール（DUP）や検索された地帯のプロフィール（SZP）を選択する。
【００９６】
ユーザーのアクセスをしたいサービスにマッチした基本的なユーザーのプロフィールの１つ以上の情報を持つコントローラ510に接続しているキーパッド（図中無し）、又は、タッチスクリーン（図中無し）を通して、DUPの選択は、ユーザーに編集される。
【００９７】
基本的なユーザーのプロフィールは、ユーザーの名前、年齢、職業やアドレス、ユーザーの消費者習慣に関するものである。又、ユーザーの消費者習慣が、購入をよくする決まったタイプの商品であるならば、その表示がプロフィールの中に含まれる。
【００９８】
トランスミッター540は、550をDUPとSZPに送る。
【００９９】
嬉しい事に、ソフトウェアーは、上記の機能をサポートする携帯500に依って使用出来、携帯に（図中無し）ゾーンや、他のネットワークと無線通信をしたり、そのユーザーに情報の表示をするコンポーネントがある。
【０１００】
図6は、基本的なユーザー、ゾーンとサーバーの間の相互関係の例を表わしている。
【０１０１】
システム600は、無線や有線の通信リンクで繋がっており、ネットワークを形成するユーザー620ｉ、ゾーン605、システムサーバー610より構成されている。
【０１０２】
システム600は、図中ではかなり簡略化されているが、典型的なネットワークは、複数のゾーンや大勢のユーザーから構成されている。
【０１０３】
システム600は、ユーザー620ｉの携帯に、ゾーン内でゾーンベースのサービスの提供しているゾーン605などの、複数の区切られたゾーンで形成されている。
【０１０４】
システムサーバー6'10は、多様な情報の管理を行います。システムサーバー6'10は、探知システム400と連絡を取るため組み合わさり、それぞれのゾーン605エリアを覆うデータベースと、携帯の探知情報の保存をするデータベースから構成されている。探知システム400は、ゾーン605での特定された携帯の存在を感知し、その特定の携帯（図中、矢印２）の存在をシステムサーバー6',l0に伝える。ターミナルは、セルラーネットワークや、３Ｇネットワーク、４Ｇネットワーク、ワイファイ、又、ゾーン400（図中、矢印１）を支えるネットワークなどの無線通信ネットワーク（図無し）を使用するシステムサーバーと連絡を取る。
【０１０５】
ゾーンのユーザーは、システムサーバーにある現存のプロフィールを使用するか、又は、その時々の必要性に依って新しいプロフィールの作成が出来る。
【０１０６】
システムサーバー610は、その必要性に依って、使用するプロフィールと互換性のある組み合わせを作る。その組み合わせを作る際、サーバー610は、そのサーバー内保存にされたユーザーのプロフィールと、プロフィールの一部に含まれない表示されてない情報を使って、計算する。
【０１０７】
システムサーバー610内に保存されたプロフィールの一部は、極秘となっている情報になっている可能性もあり、その情報を表示するのを避ける為、システムサーバー610に常に使用する基本的なプロフィールと特別に使用されるプロフィールが別々に保存される。システムサーバー610は、組み合わせの編成がある程度うまくいけば、携帯へのサービスの提供を認可する。
【０１０８】
図６で示されているステップは、下に記載した。
1- ゾーン605 、並びにユーザー620t と 6202の携帯は、プロフィール情報や、名目をつけた情報、地図等の情報が保存されているシステムサーバー610とデータを交換する。
2- ゾーンの必要性に応じて、探知システム400は、
a) ユーザー6202のゾーン 605へのアクセス
b) ゾーンに於けるユーザー6202の存在
c) ユーザー6202のゾーン605からの出発
を感知する。
3- システムサーバー610は、データーを使用して下記の働きをする。
a.システムサーバー610には、そのゾーン605内に実際に居るユーザー(620ｕ)や仮想的に居るユーザー(6201)間の交流を図る機能がある。
b.システムサーバー610には、実際に、又は、仮想的に存在しているユーザーとゾーン605間の交流を図る機能がある。
c.それに平行して、システムサーバー610は、統計、通信インターフェースの管理、一般のメッセージの提供、探知システム400の管理、ゾーンの限定、グループの編成、専用のアプリケーション等のデータの処理を行う。
【０１０９】
システムサーバー610は、データ中継の役目を果たす事もある。
【０１１０】
ゾーン内に存在するユーザーに関しての情報は、保存される。システムサーバーは、ユーザー間や、ユーザーとゾーン間、又、その他の組み合わせで、互換性のある表示されたプロフィールがある場合、その相互作用を計算する。図７では、ゾーン内でのユーザーの存在と、その情報の要素を簡略化して表されている。
【０１１１】
全ての、又、一部のユーザーやゾーンには、一般的な個人、又は、個のプロフィールがあり、限定された時間内にその情報への追記が出来る。
【０１１２】
極秘などの特別のプロフィール情報、検索事項、ユーザーのプロフィール、ゾーンのプロフィールの少なくともいくつかの情報は、フェースブックｒＭや、FoursquarerM、リンクトインｒＭ、ソーシャルメディアのシステム、外部のソフトウェアやメディア、その他の通信プラットフォームなどの外部システムから得ている物もある。
【０１１３】
ユーザープロフィールは、その個人を一人の消費者として、又、会社員として、公務員として等、職業のカテゴリーで表される事もある。諸費者としてのプロフィールには、ユーザーの個人的な興味や趣味が含まれる事もあり、仕事関連のプロフィールには、その仕事に関連のあるアクティビティーのあるゾーンに関連した情報など、ユーザーの仕事に関連する情報が含まれている。一個人が、消費者としてのプロフィールや仕事のプロフィールなどの１つ以上のプロフィールを持ち、必要に応じてそのプロフィールを使い分ける事が出来る。一人のユーザーのその複数のプロフィールは、同じターミナルにリンクされ、ユーザーはそれぞれ違う時に、片方のみを使用するか、両方を同時に使用するか等の選択をする。
【０１１４】
システムサーバー610は、ゾーンのプロフィールに第三者の特徴を加える事もある。例として挙げれば、システムサーバー610は、ゾーンのプロフィールに、ナイトクラブや測定の銘柄のビールの宣伝などを加える事も可能である。又、ゾーンのプロフィールに、レストランやその近所の映画館を加える事も可能である。この場合は、ナイトクラブやレストランなどの第三者を、もう一人のユーザーとして扱い、そこに訪問するユーザーと接触をとるという操作をする。
【０１１５】
特定のゾーンのプロフィールに第三者の情報を追加する事や、ユーザーと見なした第三者と、実際にそのゾーンに入るユーザーとの関係に対する条件や規制は、サーバー610のオペレーターとゾーンのオーナー、又は、サーバー610のオペレーターと第三者の間での契約に基づき、システムサーバー610によって処理をされる。
【０１１６】
システムサーバーは、それぞれ異なったユーザーに関連したデータと、ゾーンのプロフィールの相互作用の管理をする。一般的な基本のプロフィールとしては、消費傾向を含むゾーンとユーザーの情報を提供する。表示用のプロフィールには、特定された時にゾーンやユーザーが利用したい関連性のあるデータを含んでいる。特定された時のゾーンやユーザーの検索事項は、ゾーンやユーザーが検索した物と見なす。これらの（基本的は、又は、検索された）プロフィールは、それぞれのターミナルで、ユーザーやゾーンが編集する事ができる。システムサーバーの組み合わせの編集で自分の希望するプロフィールを受信する場合には、そのプロフィールの受信を、そのユーザー620ｉの携帯に知らせる。
【０１１７】
それに対し、ユーザー620ｉは、他のユーザーやゾーンに関連した相互の接触が出来なくなるかもしれない。
【０１１８】
ゾーンエリア内に実際に存在するユーザーや携帯に関する２つの情報の要素が、図７の左側に示されている。
【０１１９】
図７で、２(2)と設定された最初の数字である710は、ゾーン605で組み合わせの編集に互換性を持つ実際にそこに存在するユーザーの数を示している。
【０１２０】
図７で、３(3)と設定された２番目の数字である720は、実際にそのゾーンに存在するユーザーの数を示している。
【０１２１】
図７の右側のイラストでは、ゾーン605とそのゾーンを訪問する様々なユーザー620ｉの相互作用が描かれている。図７の左と右のイラストを見ると、ゾーン(620s)の外側に存在する一人のユーザーがおり、そのユーザーは、システムサーバーに検索事項を送っている。ゾーン605での互換性のある７１０人のユーザーの中で、ユーザー620ｉのたった二組のグループの組み合わせが、検索された事項に充分な互換性があるという事で見付かった。よく似た、又は、互いに補える互換性のあるプロフィールに基づき、そのゾーンのエリア内に存在するユーザー6204,s,oの中から組み合わせの出来る可能性がある為、そのゾーン内のユーザー620t,s,oの存在が、そのゾーン内の他のユーザーを引き付けるかもしれない。
【０１２２】
ユーザー620sが、ゾーン605の外側に居る間に、ゾーン605と連絡を取り、又、ゾーン内に入るかもしれない。又、ユーザー620gは、仮想的にゾーン605を訪れるかもしれない。二人以上のユーザーでの組み合わせが出来ると、システムサーバーは、それぞれの組み合わせがされたユーザーに、それぞれのユーザーが相手に送りたい内容のプロフィールの提供をする。特定のユーザーのその表示されたプロフィールは、他のユーザーにはアクセスできないままになる。然しながら、ビジネス用のユーザーやゾーンのプロフィールは、公開される。
【０１２３】
互換性のあるプロフィールの組み合わせに関して
【０１２４】
システムサーバーは、ユーザーやゾーン、探知システム400が提供するデータからのプロフィールに基づいて、編集機能を使用し、継続的に、相互に利用できる連絡リストを作る。下記に説明がされている様に、組み合わせをする過程で、それぞれのコンタクトには、優先性がある。
【０１２５】
図１は、多様なユーザープロフィールとゾーンのプロフィール間で作られる組み合わせの例となっている。図８中で、４〜８の矢印は、ユーザーのプロフィールと、プロフィールを基とした個人間の関係性を表している。ユーザーとゾーンの間で、二人のユーザー間で、又、二つのゾーン間での２者の関係は、その２者の間にある共通点の数に依って、その組み合わせ値（ＰＬ/ペアリングレベル）が決まる。２者間のＰＬが基準値より高ければ、その２者間でのやりとりが始まる。
【０１２６】
図８は、プロフィールが集まった中で組み合わせをする５つの例(5)を示している。最初の例（矢印4）では、ユーザー（U2）は、ゾーンの表示したプロフィール（21）にマッチした検索事項がある。２番目の例（矢印5）では、ユーザー（U1）は、他のユーザー（U2）の表示されたプロフィールにマッチするプロフィールがある。３番目の例（矢印6）では、ゾーン(21)には、マーケティングにターゲットを置くユーザー(U1)の表示用プロフィールにマッチするプロフィールがある。４番目の例（矢印7）では、ゾーン(22)には特定の商品の供給元の捜査などの、ほかのゾーン(21)の表示されたプロフィールにマッチするプロフィールがある。５番目の例（矢印8rと8z）では、ユーザー(U1)には、ゾーン(22)に存在する他のユーザーの表示されたプロフィールにマッチするプロフィールがある。
【０１２７】
上記の例では、基本的なプロフィールである、表示されたプロフィールを使って組み合わせが作られている。組み合わせを作る事は、「表示したプロフィールにマッチするプロフィール」の項目で順番に紹介してきたが、組み合わせが、両方のやり方で見つける事ができるので、その反対の「プロフィールにマッチする、表示されたプロフィール」で、組み合わせを探す事もできるのは、嬉しい事である。
【０１２８】
システムサーバーは、Ｌ型で組み合わせを構成した情報を保存している。
【０１２９】
ＰＬ値は、ユーザーからゾーン、反対に、ゾーンからユーザーの捜査などの基準に従ってやり取りが始められるかどうかを決定する為、様々な基本的なプロフィールや検索されている事項、表示されたプロフィールを使用して計算された値となっている。又、ＰＬ値を送信する事は不可能となっているが、システムサーバー610内に機密として保管されているユーザーのプロフィールへの追加事項となる。
【０１３０】
ユーザーや、ユーザーの携帯とゾーン間での組み合わせの例は、上記をご覧ください。ユーザー間で、又は、ゾーン間での組み合わせが作られる事を考慮し、携帯を使用するユーザーに対して、他のやり方で、ゾーンベースのサービスの提供をしている。ゾーンにアクセス出来る携帯に、ゾーンベースのサービスの提供をする方法には、ゾーン内の最初の携帯の存在や、２番目にアクセスする携帯の存在を感知する事が含まれて居る。
【０１３１】
最初のユーザーは、表示されたユーザープロフィール、並びにユーザーが検索する事項は、システムサーバーに保存されている物を使用するか、又は、そのユーザーの必要に応じて作成する事になる。
【０１３２】
２番目のユーザーは、表示されたユーザーのプロフィール、並びにユーザーが検索する事項は、システムサーバーに保存されている物を使用するか、又は、そのユーザーの必要に応じて作成する事になる。
【０１３３】
そこで、システムサーバーは、表示された最初のユーザーのプロフィールと、検索された２番目のユーザーのプロフィールがマッチできるかどうか、その互換性を計算する。その組み合わせ値が、基準以上の物であれば、最初のユーザーと２番目のユーザーの組み合わせが成立する。オプションとして、その最初ユーザーの携帯と、２番目ユーザーの携帯は、その組み合わせに関する情報を受信し、電話番号や、メールアドレス、二人のユーザーが実際に会える場所などの情報が表示される。もう１つのオプションとしては、その最初ユーザーの携帯と、２番目ユーザーの携帯に、組み合わせを組む際に使用された相手の基本的なプロフィールを含む表示されたプロフィールや、検索事項に関しての情報の受信である。ゾーンベースのサービスの中には、最初のユーザーと２番目のユーザーの互換性のあるプロフィールに従って組み合わせの検討をする事も含まれて居る。ユーザーと２番目のゾーンでのサービス間との連絡は、その組み合わせが基準値を超えていれば、条件付きで、行われる様になる。
【０１３４】
規定の無い一般探知で、ＰＬ値が、全ての可能な組み合わせに対して計算される。図９は、様々なユーザーのプロフィールとゾーンのプロフィール間での、組み合わせの可能性を示した物である。組み合わせの決定は、理論的には他のゾーンの全ての表示されたプロフィールや、基本的なプロフィール、他のゾーンの表示されたプロフィールや、基本的なプロフィール、などを使用して、組み合わせに求められているユーザーとゾーンのプロフィールに従って計算される。複数のゾーンやユーザーから構成された大きなネットワークでは、組み合わせの可能性も大きくなるが、複数のゾーンやユーザーで構成される大きなネットワークでは、組み合わせができる数を超えている場合がある。
【０１３５】
ゾーンやユーザーの数に従って、組み合わせをする数の制限をする為、ユーザーやゾーンの組み合わせの捜査は、ゾーンのグループなどの限定された場所内で、自分の魅力を感じるゾーンから始め、捜査結果が先に決定した限定数に達した時や、眼底された時間が過ぎた時に、終了する様にする。
【０１３６】
図１０は、例として、２者間のプロフィールの要素を表している。ユーザーとゾーン間、又は、ユーザー間、ゾーン間で、組み合わさる可能性もあるので、図１０に見られるプロフィール１と２として示された２種のプロフィールは、それぞれ、ゾーンやユーザーのプロフィールとなっている。具体的な例では、プロフィール１た、特定のレストランなどの表示されたゾーンのプロフィールであれば、プロフィール２は、特定のゾーンに存在するユーザーの検索事項という事もできる。当然、この組み合わせは無限にあり、プロフィールの要素を表す１つの例として、ここに表示した。
【０１３７】
図１０で、「uEx」と書かれているのは、プロフィールの要素を表している。プロフィールの要素の価値は、「'Vx.l'」と示され、「x」は、プロフィール１、又は、プロフィール２の内の片方を意味しており、「y」は特別のプロフィール要素を表している。プロフィールの要素毎の優先性は、「Wx.y」と表されている。優先性を表す「Wx.y」は、システムサーバーのデータベースに永久的、又は、臨時に保管されている、プロフィールに含まれる情報があるシステムサーバーに依り決められる。又、「Wx.y」は、ユーザーやゾーンのそれぞれのプロフィールの要素に従って、変更して提供される事がある。２つのプロフィール間では、若干の他の要素に互換性が無くても、共通の互換性のある要素を共有する事が出来る。
【０１３８】
例を挙げれば、一人のユーザーのプロフィールとして、(a)イタリア食品への興味(b)ＳＦ映画への興味、の２つの要素があるとする。
【０１３９】
あるゾーンでは、それに関連した要素として、(a)イタリアの食物がメニューにあるレストランがあるが、(b)のＳＦ映画を上映している映画館が無いという事を示しているとする。プロフィールの要素の１つである優先値で、(a)イタリア食品が、０より多く、(b)のＳＦ映画の優先値が０であれば、このゾーンも行くべき選択肢の中に入るという事になる。プロフィールを組み合わせの計算は、テンプレートでされる。そのテンプレートは、プロフィールの要素値や、それに対応した優先性、レストランなどのゾーンに関連したプロフィール要素から構成されている。ユーザーは自分のプロフィールの編集をし、プロフィールの優先性をテンプレートに含める事が出来る。そしてユーザーとレストランの組み合わせが、システムサーバーによって行われる。
【０１４０】
応用として、互換性のある無しを見極めるのにも、その優先性を他の事にも当てはめて使う事が出来る。
【０１４１】
特定した要素を示す「Vl.y」と「V2.y」は、その２つのプロフィールに互換性が有り、組み合わせの可能性（ＰＬ）は、それぞれの優先値により決定される。
【０１４２】
例えば、１つの入れ物の要素が「V1.1=V2.1」であり、「V1.3=V2.3」である場合、プロフィール１とプロフィール２(PL1-z)間に於ける互換性は下記の方程式(1)に依って計算される。
【０１４３】
PLt-z=W1.1xW2.1+W1.3xW2.3(1)
【０１４４】
方程式(1)に示される様に、プロフィール１と２の優先値は、組み合わせを決定する為に使用される。計算されるPLt-zが０より大きければ、図１０中のプロフィール１とプロフィール２を持つ２者間で、やり取りが行われる様になる。プロフィール１を持つ個人に依って、又は、プロフィール２を持つ個人に依って、又は、そのゾーンやシステムサーバーに依って決定されるPLt-2が、基準値と同様かそれ以上であるという条件で、２者間のやり取りが行われる。As
【０１４５】
その他、組み合わせの決定をする為に、優先値無しで計算をされる事もある。又、両者のプロフィールで、プロフィールの要素「l」、「V1.y」、「V2.y」の値が０以上であれば、組み合わせが作られる。
【０１４６】
上記に加え、組み合わせは、基準値やその他の規則に依っても決定される。この例は、図８中の例５（矢印８）で示されており、特定されたゾーンの選択基準を追加したユーザーが、他のユーザーを探している様子を表している。
【０１４７】
プロフィールの要素の優先値、「Wx.y」が負（マイナス）の値になる事もある。例を挙げれば、ベジタリアン以外のレストランを探しているユーザーの場合、プロフィールの最終要素となる優先値を負の値（マイナス）にする事で、このユーザー用の組み合わせの計算では、全てのベジタリアンレストランが、自動的に除外される事になる。
【０１４８】
仮想ゾーン
【０１４９】
仮想ゾーンは、仕事をしている人々、コンサルタントの人々、非営利団体等に提供するサービスとして存在している。特にユーザーが実際にアクセスする場所に仕事の場所の無い個人が使える。当然、商売をするユーザーも、実際のゾーンと仮想のゾーンの両方を操作する事が可能である。これらの仮想ゾーンでは、いかなる実際の地理的なエリアが無く、実際に体の使ってそこに行っている訳ではない。しかし、これらの仮想ゾーンは、システムサーバーでは、存在しており、それぞれに、個々のプロフィールが有る。この紙面で説明されている様に、ユーザーは実際にそのゾーンを訪れなくても、ゾーンと連絡を取る事が出来る。仮想ゾーンに於いては、そのゾーンに仮想的に訪問をする事になる。仮想ゾーンのサイトにアクセスしているウェブブラウザーなどに依ってユーザーは、仮想ゾーンへのアクセスが出来る。ユーザーは、ウェブのリンクや、自分のターミナルを通して、仮想ゾーンへ入る選択をする。その後、仮想ゾーンに自分の存在を（それも仮想の存在となるが）感知させる。
【０１５０】
使用例
【０１５１】
このシステムでご利用頂けるサービスの中で、アプリケーションで、１つの、又は、複数のゾーン内で迷子を探したり、公共に安全対策のメッセージを掲示したりする事を含む効果的な方法でのサービスのご利用が出来る。その他のアプリケーションでは、広告や個人の掲示サービス、他のメディアとの補足的な使方、ソフトウェアのダウンロード、統計管理、地方の催し物案内、自動送金、映画館や美術館の入場料金の支払い、有料道路料金、又、スマートカードの様なユーザーのターミナルとして等にご使用する事など、マーケティング関連のご使用が出来る。現在の弊社の製品の使用で出来る事の例を下に記載した。これらの例は、完全にそうなるという事ではないし、ご使用は、これらの例に限られた物ではない。
【０１５２】
例１:ユーザーが特定のゾーンを探す場合
あるユーザーが近くのベジタリアンのレストランを探したいと思っている。そのユーザーの携帯は、探しているプロフィールを、システムサーバーに送信するか、又は、ユーザーが、システムサーバーにこのタイプのレストランの希望を示したプロフィールの要素の情報を入力する。そのプロフィールの要素は、システムサーバーが使う捜査事項になり、システムサーバーが、ユーザーと同じエリアにあるゾーンのプロフィール間での優先値を決定する為に、使用される。ベジタリアンレストランの特有の要素を含む、少なくとも１つ以上のゾーンのプロフィールが指定されれば、システムサーバーは、ユーザーと少なく共１つ以上の組み合わせの可能性のあるゾーンとの組み合わせのリストを作成する。そのリストは、携帯のインターフェースに表示される。又、リストは、その検索の答えとして、それぞれのゾーンの場所の分かる地図として表示されるかもしれない。そのリストが大きければ、ユーザーはリストの範囲を限定する事が出来る。リスト内で選択したり、地図上で場所を指したりして、ユーザーは、選択したゾーンに関連した情報を得る事が出来る。そのデータには、例を挙げれば、期間限定で出される、ベジタリアンのレストランの割引広告なども含まれるかもしれない。又、ゾーンの方がベジタリアンのメニューに興味のあるユーザーを探している事もあるので、この割引広告は、その特定のゾーンの表示されたプロフィールの１部かもしれない。ユーザーは、自分の携帯で、ゾーンの選択が出来る。；携帯が、地図上での場所として、そのリストに掲載すれば、この選択ができる。ユーザーがゾーン内に入ると、ユーザーの携帯は自動的に、探知システム４００に依って感知される。ゾーンがこの特定のユーザーの存在、並びに、このユーザーがベジタリアンのメニューに興味が有ると分かる様に、システムサーバーはゾーンに、ユーザーに関しての情報を送信する。更に、このユーザーが、このレストランの常連のお客様ならば、レストランは、ユーザーの好みにあった特別サービスの提供をする事も可能である。
【０１５３】
例２:ユーザーが他のユーザーを探索する場合
２０００人が集まる大きな会議場に、一人の会社員が居る。その会議場の建物に入ると、このユーザーは２つの検索プロフィールを作成、または、起動させる。そのユーザーは、働いている会社の製品に使用されている素材の供給元とのミーティングを望んでいる。その会議場には多くの出店が有るが、そのユーザーは、自分の探している素材の供給元としての幾つかの小規模の個人経営の専門店が、その会議場に出席しているのを知っており、新しい取引先を見つける事を希望している。然しながら、それらの個人経営のお店が、自分達のブースを持ったり、宣伝に掛かる費用を賄う事は来出来ないので、そういう供給元を探すのは、大変に骨の折れる事である。最初に検索するプロフィールとしては、その特定の素材の供給者の捜査を示す。一方で、そのユーザーは、自分の余暇の時間がある夜、自分と同様な事に興味を持つ人々と出会い、夕食を共に楽しみたいと思っている。その結果、２番に検索するプロフィールとしては、会議場の建物内で、特定の時間に他の人と会いたいという希望を示す。
【０１５４】
これらの２つのプロフィールの、それぞれの要素の優先性のレベルのランク付けされた、組み合わせの可能性のある２つのリストを含む２つの検索事項を、システムサーバーは、個々に取り扱う。そのユーザーは、自分の興味のありそうな検索事項の内の１つと合致する供給元のプロフィールを、受け取る。そのユーザーは、その後、その供給元とコンタクトを取り、会う事になる。会議主催者は、会議場の出席者に、ミーティングルームを用意するかもしれない。仕事が終わり、その供給元を探している二人以上のユーザーが、夕食を共にするかもしれない。システムはユーザー間での組み合わせを作る。オプションとして、そのユーザー達は、会議の出席者やバーゲンを探している人々に割引を示すプロフィールを表示しているレストランで、夕食を楽しむかもしれない。この例に出てきたユーザーは、２つの全く関係の無い検索事項を持ち、供給元と夕食を共に出来る他のユーザーを探す事が出来た。
【０１５５】
例３:商業目的で、ゾーンがユーザーを探す場合
デパートなどの大型店の有る大きなエリアを持つゾーン内に、特定のプロフィールを持っている購買可能な人が存在する時、店舗はその人を引き付けたい希望を持っている。その建物に、仮想的に、又は、実際にアクセスするユーザーのプロフィールを知る為、ゾーンは、システムサーバーを通じてアクセスする。それらのデータに従い、ゾーンはシステムサーバーにユーザーの検索するプロフィールを示す。すると、システムサーバーは、その検索されたプロフィールと、ユーザーのプロフィールの組み合わせを計算する。ゾーンは、これらの顧客となりそうなユーザーのプロフィールを受け取り、それに依って割り引きセールなどの内容を調節する。例えば、今から３０分間の限定で、店内の特定の場所で、特定の商品が半額になるなどというセールの情報が、ユーザーに送られる。そのゾーンには居ないけれど、それらのユーザーが好むゾーンのリストにこのお店が含まれているという理由で、そのデパートの割引セールの情報を送るように依頼した、システムの他のユーザーにも、この情報が送られる。これらのユーザーが、そのデパートにあるゾーンにアクセスすると、そのユーザーの存在が感知され、ユーザーは、自分達のニーズに合った追加情報を受け取る事が出来る。
【０１５６】
例４:ある特定のゾーン内で、ユーザーが他のユーザーを探す場合
外国の都市を訪れている一人の女性は、市の案内から、その地区に有名なナイトクラブの情報を受ける。その女性は、システムに、ナイトクラブの選択をする為、その地区内の登録されたゾーンのリストを依頼した。システムには、ゾーン内にある登録された５箇所のナイトクラブのリストが有り、それぞれのナイトクラブに現在いる登録されたユーザーの数も把握されている。この女性の携帯は、少なく共、その５箇所のナイトクラブの内の１つのナイトクラブで感知されたユーザーの検索した情報を、システムサーバーに送る。そのお返しに、携帯は、その女性の検索事項と互換性のある他のユーザーのプロフィール情報を受信する。それに依って、これらの他のユーザーのプロフィールを考慮して、それに応じたナイトクラブを選ぶ事が出来る様になった。この女性がナイトクラブの建物に入ると、その存在が自動的にクラブの方で感知され、ウェイターが無料のドリンクを運んで来るかもしれない。この女性のプロフィールには、使える言語や出身国の情報も含まれて居るので、そのウェイターは、この女性の母国語で話しかけて来るかもしれない。さらに、このウェイターは、そのナイトクラブのエリアで、そのシステムのユーザーの為、この女性と同様の趣味を持つ人々と出会える場所を教えてくれるかもしれない。もちろん、自分の基本的なプロフィールの詳細を、他人には解からない様に、いつでも選択が出来る。
【０１５７】
例５:夏のイベントで起こり易い事柄
例えば、夏祭りなどのイベントは、時として、いくつかのゾーンに股がる様な大きな限定されたエリアで行われるかもしれない。現在のシステムのユーザーは、リアルタイムでそれらの複数のサービスを得るかもしれない。例えば、あるレコード会社は、その祭りに出席するアーティストの曲を、ユーザーの携帯へのダウンロードを割り引きするかもしれない。この割引には、更に、そのアーティストのＣＤを買うと、期間限定で、電子払い戻しのクーポンをダウンロード出来るという特典も付いて来るかもしれない。その一方で、その祭りの主催者は、システム使用のユーザーが、そのイベントの期間中、いろいろな時に、そのイベントに来たり、そこの様々なゾーンを通り過ぎたりした等の、貴重な統計を取っているかもしれない。それらのイベントで提供される他のサービスには、その場所での迷子探しなども考えられる。迷子になった子供の親からの依頼で、そのイベントに関係のある１つ以上のゾーン内の全ユーザーに、その子供の写真入りのお尋ね報が、放送される。他のユーザーが子供を見付け、その注意報に返信をすれば、親の所に早く返す事が出来る。当然の事ながら、建物内で行われる迷子探しは、異なったサービスの提供がある。
【０１５８】
ゾーンベースのサービスの提供をするシステムや、ノード、又、その使用方法についての詳細は、その例を出して書かれており、この例だけに限定されるものではない。現在の製品の機能を充分にお楽しみ頂く為に、この様に様々な例を出し、使い方の説明をした。製品のシステム、ノード、その使用方法は、ゾーンベースのサービスの送信に関する問題に対応する為、カスタマイズされる。
【０１５９】
多数のユーザー機器、又は、無線通信ノード、又は、その他の装置には、携帯や、端末、又は、ここに記載されている感知システムの機能がある。
【０１６０】
システムや、ノード、又、使用方法の全てを、ここに記載している訳ではない。実際のシステムの運用、メソッド、ノード、数多くの充足などは、アプリケーションや、システム、ネットワーク、ビジネス関連の制約などに反映され、それらが、この製品を企画した目的でした。そして、その製品の目的は、１つを成し遂げる事で、改良をし、次の物に移るという様に、常に変わって行く。この製品の開発には多くの時間と努力が必要でしたが、携帯の分野で通常の知識のある方には、この製品を喜んで頂ける物と思っている。
【０１６１】
ここに記載されている説明、コンポーネント、製品の操作方法のプロセスのステップや、ここに記載されているデータの構造をする為に、様々なタイプのプロセッサーや、コントローラー、オペレーティングシステム、コンピューターのプラットフォーム、ネットワークの機器、コンピューターのプログラム等を使用した。
【０１６２】
追加として、一般的ではないハードウェアで作られている装置、FPGAs、ASICs、それと同様の働きをする物も使用した。
【０１６３】
一連のプロセス・ステップを使用する方法が、コンピュータまたは機械で実施され、又、それらのプロセス・ステップは、機械によって読み込みをされる一連の説明書として、メディアに保存される。
【０１６４】
ここに記載されているシステムとモジュールは、ソフトウェアー、ハードウェア、ファームウェアーや、ここに記載されている目的に合った如何なる組み合わせのソフトウェアー、ファームウェアー、ハードウェアーに依って構成されている。ソフトウェアーや、その他のモジュールは、サーバーやワークステーション、パソコン、コンピュータ化したタブレット、ＰＤＡや、ここに記載されている目的に合った、その他の機器に有る。ソフトウェアーや、その他のモジュールには、又、ローカルメモリーや、ネットワーク、ブラウザーや、そのほかのアプリケーション、又、ここに記載されている目的に合った、その他の方法に依りアクセスをする事が出来る。ここに記載されているデータ構造は、コンピューターファイルや、バリアブル、プログラムの配列、プログラムの構造、電子情報記憶装置、又は、その方法、又、ここに記載されている目的に合った、それらを組み合わせた物から構成されている。
【０１６５】
ここに記載されている上記の事柄は、現在の製品の説明に適った物であるが、追加事項としての変更は有る。
【図１】
0006345597.tif 000002
【図２】
0006345597.tif 000003
【図３】
0006345597.tif 000004
【図４】
0006345597.tif 000005
【図５】
0006345597.tif 000006
【図６】
0006345597.tif 000007
【図７】
0006345597.tif 000008
【図８】
0006345597.tif 000009
【図９】
0006345597.tif 000010
【図１０】
0006345597.tif 000011